(57)【要約】【課題】簡単な構成とできると共に製造効率および組み立て効率の向上を図れ、かつ手摺部材同士を強固に連結できる階段用手摺を提供する。【解決手段】建物の下階と上階とを連絡する折返し階段１が備えている階段用手摺１０であって、下階側に配置された下階階段手摺部材２１と、上階側に配置された上階階段手摺部材２２と、これらの下階階段手摺部材２１および上階階段手摺部材２２を連結する連結手摺部材２３とを備えて構成する。また、各手摺部材２１，２２，２３を、それぞれ手摺本体部１２と、この手摺本体部１２の長手方向に沿い且つ裏面側に埋設された補強用中空部材１３とで構成する。そして、下階階段手摺部材２１と連結手摺部材２３、および連結手摺部材２３と上階階段手摺部材２２とを、それぞれの補強用中空部材１３内に挿入固定された係合連結部材により相互に連結した。【選択図】図２
2011047235.tif 000002
【特許請求の範囲】
【請求項１】
建物の下階と上階とを連絡する折返し階段が備えている階段用手摺であって、
前記下階側に配置された下階階段手摺部材と、前記上階側に配置された上階階段手摺部材と、これらの下階階段手摺部材と上階階段手摺部材を連結する連結手摺部材とを備え、
前記各手摺部材を、それぞれ、手摺本体部と、この手摺本体部に当該手摺本体部の長手方向に沿い且つ裏面側に埋設された中空部材とで構成し
前記下階階段手摺部材と前記連結手摺部材、および当該連結手摺部材と前記上階階段手摺部材とを、前記それぞれの中空部材内に挿入固定された係合連結部材により相互に連結したことを特徴とする階段用手摺。
【請求項２】
請求項１に記載の階段用手摺において、
前記連結手摺部材を、一端部が前記下階階段手摺部材の上端部と連結すると共に他端部が前記折返し階段の踊り場と平行な水平部材と、下端部が前記水平部材の前記他端部と連結すると共に上端部が前記上階階段手摺部材の下端部と連結する立上がり部材とで構成したことを特徴とする階段用手摺。
【請求項３】
請求項２に記載の階段用手摺において、
前記連結手摺部材の前記水平部材を、前記下階階段手摺部材の上端部の延長上に突合せ配置される第１部材と、この第１部材の端部から前記上階階段手摺部材側に向けて設置された第２部材とで構成したことを特徴とする階段用手摺。
【請求項４】
請求項２または請求項３に記載の階段用手摺において、
前記係合連結部材を、その平面形状がＬ字状で側面形状がヘの字状の第１係合連結部材で構成し、当該第１係合連結部材の前記ヘの字状における１辺部の先端を前記下階階段手摺部材の上端部の前記中空部材内部に係合させると共に、１辺部の他の部分および前記第１係合連結部材の他辺部を前記連結手摺部材の水平部材の前記第１および第２部材の中空部材の裏面に形成された切欠き部に係合させたことを特徴とする階段用手摺。
【請求項５】
請求項２または請求項３に記載の階段用手摺において、
前記係合連結部材を、前記連結手摺部材の前記水平部材の他端部と前記立上がり部材の下端とを連結固定する固定板と、この固定板に垂直に固着されると共に前記立上がり部材の前記中空部材内部に係合される連結板とを備え縦断面がＴ字状の第２係合連結部材で構成したことを特徴とする階段用手摺。
【請求項６】
請求項５に記載の階段用手摺において、
前記第１連結板部と連結板とを同一厚さの板部材で形成したことを特徴とする階段用手摺。
【請求項７】
請求項２または請求項３に記載の階段用手摺において、
前記係合連結部材を、その縦断面形状がヘの字状となるように形成した第３係合連結部材で構成し、当該第２係合連結部材の前記ヘの字状における１辺部を前記連結手摺部材の前記立上がり部材の前記中空部材内に係合させると共に、前記係合連結部材の他辺部を前記上階階段手摺部材の下端部の前記中空部材内部に係合させたことを特徴とする階段用手摺。
【請求項８】
請求項１ないし請求項７のいずれか一つに記載の階段用手摺において、
前記下階階段手摺部材、前記連結手摺部材および前記上階階段手摺部材の各断面形状を同一としたことを特徴とする階段用手摺。
【請求項９】
請求項１ないし請求項８のいずれか一つに記載の階段用手摺において、
前記中空部材をアルミニウム押出形材からなる断面四角パイプ部材で構成したことを特徴とする階段用手摺。
【請求項１０】
下階階段部と上階階段部およびこれらの下階階段部と上階階段部との間に設けられた踊り場とを備えて構成され建物の下階と上階とを連絡する折返し階段であって、
前記下階階段部と上階階段部とが、それぞれ複数段の踏板と、前記下階階段部および上階階段部の幅方向中央部に配置され前記複数段の踏板を支持する１本の桁部材とを備えると共に、前記請求項１ないし請求項９のいずれか一つに記載の階段用手摺を備えて構成されていることを特徴とする折返し階段。
【発明の詳細な説明】
【技術分野】
【０００１】
本発明は階段用手摺に係り、さらに詳しくは、建物の下階と上階とを連絡する折返し階段に設けられる階段用手摺に関するものである。
【背景技術】
【０００２】
建築物における上下階の往来に用いられる階段には、昇降時の安全のための手摺が設けられている。この階段の形態には様々なものがあるが、２つ以上の階段と踊り場とからなる折返し階段は、設置スペースや昇降時の人への負担等において優れた機能を発揮することができる。
以上のような折返し階段においては、一般に、下階側の階段と上階側の階段とでその設置方向及び高さが異なっていることから、下階側の階段手摺と上階側の階段手摺とをスムーズに連結させるためには、各手摺を連結する連結手摺部の工夫が必要となる。
【０００３】
この折返し階段における下階側の階段手摺と上階側の階段手摺とを連結させることにより、階段のみならず踊り場においても昇降時の安全を確保している技術が知られている（例えば特許文献１参照）。
この特許文献１に開示された階段手摺およびその手摺子は、折返し階段における折返しの内側部分の手摺を工夫したもので、下階側に配置する第１の手摺部と、上階側に配置する第２の手摺部とを、連結手摺部で連結したものである。そして、この連結手摺部は、踊り場部分に応じて折れ曲がった折曲部と、この折曲部の一端から上方に延びる立上がり部と、折曲部の他端から下方に延びる垂れ下がり部とで構成されている。そして、以上のような構成としたことで、第１の手摺部分と第２の手摺部部分との高さレベルの差を解消している。
【０００４】
また、複数の手摺部材及び連結部材を回動自在に連結する階段用の手摺が知られている（例えば特許文献２参照）。
この特許文献２に開示された階段用の手摺では、下側手摺本体と上側手摺本体とを連結する連結部材が、一方側継ぎ手体の継ぎ手側係合部と他方側継ぎ手体の継ぎ手側係合部とを挟み込むように構成され、挟み込んだときでも、一方側継ぎ手体と他方側継ぎ手体とが回動自在となっている。そして、これにより、下側手摺本体と下側手摺本体との向きが正常となるように調整可能となっている。
【先行技術文献】
【特許文献】
【０００５】
【特許文献１】特開２０００−２５７２３２号公報
【特許文献２】特開平１０−２５２２３５号公報
【発明の概要】
【発明が解決しようとする課題】
【０００６】
しかしながら、前記特許文献１に開示された階段手摺およびその手摺子では、連結手摺部の形状が、踊り場部分に応じて折れ曲がった折曲部と、この折曲部の一端から上方に延びる立上がり部と、折曲部の他端から下方に延びる垂れ下がり部とで形成されているので形状が非常に複雑なものとなっている。
そのうえ、立上がり部と垂れ下がり部とは、互いに平行に、且つ略垂直になるように曲げ、さらに、折曲部は踊り場部分に応じて曲げなくてはならず、それぞれの部位での曲げ加工が面倒であり、多くの手間が掛かる、という問題がある。
また、階段手摺が第１の手摺部と第２の手摺部とが連結手摺部で連結されており、全体として、途中で方向が変えられ、且つ斜めに形成された１本の部材で形成されているので、持ち運びおよび取り扱いが困難である、という問題も生じている。
【０００７】
また、前記特許文献２に開示された階段用の手摺では、一方側継ぎ手体および他方側継ぎ手体に、それぞれ継ぎ手側係合部が設けられ、さらに、介在拡張部材との連結用の嵌合軸部等を設ける等、構造が複雑であり、連結部材の形状も複雑である。そのため、部品点数が多くなり、製造効率および組み立て効率が悪い。
さらに、連結部材で一方側継ぎ手体と他方側継ぎ手体とを挟み込んだときでも両継ぎ手体が回動自在となっているので、強い力が一方側継ぎ手体または他方側継ぎ手体継ぎ手に働いたとき、いずれかの継ぎ手体が回動し不安定な状態を招いてしまう。
また、強い力が一方側継ぎ手体または他方側継ぎ手体継ぎ手に働き、いずれかの継ぎ手体が回動したとき、その部分の投影形状が異なることになり、その結果、手摺全体の外観の統一性を保つことができなくなる、という問題も生じている。
【０００８】
本発明はこのような問題点を解決するためになされたものであり、簡単な構成とできると共に製造効率および組み立て効率の向上を図れ、かつ手摺部材同士を強固に連結できる階段用手摺を提供することを目的とする。
【課題を解決するための手段】
【０００９】
本発明の階段用手摺は、建物の下階と上階とを連絡する折返し階段が備えている階段用手摺であって、前記下階側に配置された下階階段手摺部材と、前記上階側に配置された上階階段手摺部材と、これらの下階階段手摺部材および上階階段手摺部材を連結する連結手摺部材とを備え、前記各手摺部材を、それぞれ、手摺本体部と、この手摺本体部に当該手摺本体部の長手方向に沿い且つ裏面側に埋設された中空部材とで構成し、前記下階階段手摺部材と前記連結手摺部材、および当該連結手摺部材と前記上階階段手摺部材とを、前記それぞれの中空部材内に挿入固定された係合連結部材により相互に連結したことを特徴とする。
【発明の効果】
【００１０】
本発明の階段用手摺は以上のように構成されているので、下階階段手摺部材と連結手摺部材、および連結手摺部材と上階階段手摺部材との連結を、それぞれの中空部材内に係合連結部材を挿入することで行える。その結果、係合連結部材があれば各手摺部材を連結できるので簡単な構成とすることができる。
また、係合連結部材のみを製造すればよいので製造効率の向上を図ることができ、さらに、係合連結部材を中空部材内に挿入固定すればよいので組み立て効率の向上を図ることができる。
また、係合連結部材が手摺本体部に埋設された中空部材に挿入固定されるので、手摺部材同士を強固に連結することができる。
【図面の簡単な説明】
【００１１】
【図１】本発明に係る階段用手摺の一実施形態を示し階段用手摺が設けられた折返し階段を示す全体斜視図である。
【図２】図１におけるII矢視図で、折返し階段の平面図である。
【図３】図１におけるIII矢視図で、折返し階段の左側面図である。
【図４】図１におけるIＶ矢視図で、折返し階段の正面図である。
【図５】前記実施形態の階段用手摺で使用される手摺部材を示す斜視図である。
【図６】前記実施形態の階段用手摺の下階階段手摺部材と連結手摺部材および連結手摺部材と上階階段手摺部材との連結部を示す一部断面の左側面図である。
【図７】図６におけるVII矢視図である。
【図８】図７におけるVIII−VIII線に沿った縦断面図である。
【図９】図６におけるVII矢視で、階段用手摺の下階階段手摺部材と連結手摺部材の第１係合連結部材との連結前の状態を示す分解図である。
【図１０】図９におけるX−X線に沿った正面図である。
【図１１】前記実施形態の階段用手摺の下階階段手摺部材と連結手摺部材とを連結する第１係合連結部材を示す全体斜視図である。
【図１２】前記実施形態の階段用手摺の下階階段手摺部材と連結手摺部材との連結の途中の状態を示す縦断面の分解図である。
【図１３】前記実施形態の階段用手摺の連結手摺部材と上階階段手摺部材との連結状態を示す縦断面図である。
【図１４】前記実施形態の階段用手摺における連結手摺部材の水平部材と立ち上がり部材とを連結する途中の状態を示す縦断面の分解図である。
【図１５】図１２の状態を立体的に見た斜視図である。
【図１６】前記実施形態の階段用手摺の連結手摺部材の水平部材と立ち上がり部材とを連結する第２係合連結部材を示す全体斜視図である。
【図１７】前記実施形態の階段用手摺の連結手摺部材と上階階段手摺部材との連結作業の途中を示す縦断面の分解図である。
【図１８】前記実施形態の階段用手摺の下階階段手摺部材と下り手摺部材との連結状態を示す一部断面の側面図である。
【図１９】前記実施形態の階段用手摺の下階階段手摺部材と下り手摺部材とを連結する途中の状態を示す縦断面図である。
【図２０】前記実施形態の階段用手摺の下階階段部近傍における面材、手摺支柱、支柱用取付け板および階段の踏板との相互関係を示す側面図である。
【図２１】前記実施形態の階段用手摺の折返し階段における下階段部の上端部と踊り場との関係を示す側面図である。
【図２２】前記実施形態の階段用手摺の折返し階段における上階段部の下端部と踊り場の関係を示す一部断面の側面図である。
【図２３】前記実施形態の階段用手摺の手摺支柱と踏板との取り付け状態を示す分解斜視図である。
【図２４】本発明の変形形態を示し、下階階段手摺部材と連結手摺部材との連結状態を下階階段手摺部材と連結手摺部材との下方から見た図である。
【発明を実施するための形態】
【００１２】
次に、本発明に係る階段用手摺の一実施形態を図面に基づいて具体的に説明する。
【００１３】
図１〜図４には、本実施形態の階段用手摺１０が適用された折返し階段１の全体が示されている。
折返し階段１は、建物の下階部と上階部との往来用に設置されており、下階階段部３と上階階段部４、およびこれらの下階階段部３と上階階段部４との間に設けられた踊り場５とを備えて構成されている。
そして、このような折返し階段１には上記階段用手摺１０が設けられている。
【００１４】
上記踊り場５は、下階階段部３における最上段の踏板６０の上方に設けられた下階側踊り場５Ａと、この下階側踊り場５Ａから１段分高くなると共に、上階階段部４の１段目の踏板６０に向かう上階側踊り場５Ｂとで構成されている。そして、両踊り場５Ａ，５Ｂは、図２に示すように、それぞれ平面略四角形形状の床面６７を有している。
【００１５】
階段用手摺１０は、折返し階段１の折返し内側に設けられた内側階段用手摺２０と、折返し階段１の折返し外側に設けられた外側階段用手摺３０とを備えて構成されている。
内側階段用手摺２０および外側階段用手摺３０は、図５に示すような手摺部材１１で構成されている。そして、この手摺部材１１は、手摺本体部１２と、当該手摺本体部１２の長手方向に沿い且つ裏面側に埋設された補強用中空部材１３とで構成されている。
【００１６】
手摺本体部１２は、その全体が例えば木目調に形成されており、また、断面形状が略蒲鉾状に形成されている。そして、その底面部には、手摺本体部１２の長手方向に沿った凹状の溝１２Ａが形成されている。
そして、この溝１２Ａ内に上記補強用中空部材１３が予め嵌め込まれ、これにより、両者１２，１３は一体構造となっている。補強用中空部材１３は、例えばアルミニウム押出形材を使用し断面四角パイプ状に形成されている。
【００１７】
図１に戻って、内側階段用手摺２０は、前記下階階段部３に設けられた下階階段手摺部材２１と、上階階段部４に設けられた上階階段手摺部材２２と、前記踊り場５の領域に設けられ上記下階階段手摺部材２１と上階階段手摺部材２２同士を連結する連結手摺部材２３を備えて構成されている。
【００１８】
下階階段手摺部材２１は、下階階段部３の最下段の踏板６０の上方位置から下階階段部３の最上段の踏板６０の上方位置にわたって配置されている。また、下階階段部３に設けられた複数段の踏板６０の上面前方側端部同士を結んで形成される傾斜と平行になるように配置されている。
【００１９】
下階階段手摺部材２１、上階階段手摺部材２２および連結手摺部材２３は、前述したように、手摺本体部１２と補強用中空部材１３とからなる手摺部材１１で構成されている。
そして、下階階段手摺部材２１と連結手摺部材２３、および連結手摺部材２３と上階階段手摺部材２２同士が、上記補強用中空部材１３内にそれぞれ挿入された第１〜第３係合連結部材４０，４１，４２により相互に連結されている。
【００２０】
図６に示すように、連結手摺部材２３は、一端部が下階階段手摺部材２１の上端部と連結すると共に他端部側が折返し階段１の踊り場５と平行な水平部材２４と、下端部が水平部材２４の他端部と連結すると共に上端部が上階階段手摺部材２２の下端部と連結する立上がり部材２５とで構成されている。
【００２１】
水平部材２４は、図７に詳細を示すように、下階階段手摺部材２１の上端部の延長上に配置される第１部材２４Ａと、この第１部材２４Ａの端部から上階階段手摺部材２２側に向きが変えられた第２部材２４Ｂとで構成されている。
第１部材２４Ａと第２部材２４Ｂとは対向面同士が４５度の角度に形成され、その対向面同士が接合されたとき第１部材２４Ａと第２部材２４Ｂとが略直角の向きとなる。
【００２２】
以上のような構成の下階階段手摺部材２１の上端部と、水平部材２４の第１部材２４Ａおよび第２部材２４Ｂとの連結は、図６〜図１１に示すように、係合連結部材である第１係合連結部材４０により行われるようになっている。
【００２３】
すなわち、第１係合連結部材４０は、図１１に示すように、板部材で形成されると共に、一辺部４０Ａと他辺部４０Ｂとで側面形状が略ヘの字状に形成され、且つ一辺部４０Ａと他辺部４０Ｂとで平面形状がＬ字状となるように形成されている。
【００２４】
このような第１係合連結部材４０は、図６に示すように、上記一辺部４０Ａの他の部位と他辺部４０Ｂとが、上記水平部材２４の第１部材２４Ａおよび第２部材２４Ｂにおける補強用中空部材１３の側面一部を切欠いた切欠き部１３Ｂから補強用中空部材１３の内部空間１３Ａに挿入され且つ固定されるようになっている。また、一辺部４０Ａの一部が下階階段手摺部材２１の上端部における補強用中空部材１３の内部空間１３Ａに挿入されて固定されるようになっている。
【００２５】
このうち、図６、図１１に示すように、また、上述のように、上記一辺部４０Ａが他辺部４０Ｂに対して傾斜状に形成され、他辺部４０Ｂが平面形状Ｌ字状に形成されている。そして、他辺部４０Ｂにおいて一辺部４０Ａに連続する連続部４０Ｃが前記水平部材２４の第１部材２４Ａに対応し、連続部４０Ｃに対して略直角となった折曲部４０Ｄが第２部材２４Ｂに対応している。
【００２６】
第１係合連結部材４０の他辺部４０Ｂは、上述のように、平面形状Ｌ字状に形成されているため、そのままの状態では、水平部材２４の第１部材２４Ａおよび第２部材２４Ｂにおける補強用中空部材１３の内部空間１３Ａ内に挿入することができない。
そこで、図７〜図１０に示すように、第１部材２４Ａおよび第２部材２４Ｂにおける補強用中空部材１３の一側面（踊り場５側の側面）を、平面形状Ｌ字状の他辺部４０Ｂに対応させて切欠き、この切欠き部１３Ｂから第１係合連結部材４０の連続部４０Ｃと折曲部４０Ｄとを差し込んだ後、補強用中空部材１３の裏面から皿ビス２７と、木ネジ２８とをねじ込んで固定するようになっている。
【００２７】
第１係合連結部材４０による下階階段手摺部材２１と水平部材２４との連結は、図１２に示すように、下階階段手摺部材２１側に突出した第１係合連結部材４０の一辺部４０Ａに対して、下階階段手摺部材２１を対向させると共に、下階階段手摺部材２１の補強用中空部材１３に第１係合連結部材４０の一辺部４０Ａが挿入するように、下階階段手摺部材２１を矢印Ｄに沿って移動させる。
【００２８】
そして、下階階段手摺部材２１の補強用中空部材１３の内部空間１３Ａ内に第１係合連結部材４０の一辺部４０Ａが挿入されたら、皿ビス２７と、木ネジ２８とをねじ込み、連結手摺部材２３の水平部材２４と下階階段手摺部材２１とを固定する。
これに先立ち、連結手摺部材２３と第１係合連結部材４０との連結が行なわれている。すなわち、第１係合連結部材４０の他辺部４０Ｂの連続部４０Ｃと折曲部４０Ｄとを、水平部材２４における補強用中空部材１３の切欠き部１３Ｂから挿入した後、皿ビス２７と木ネジ２８とをねじ込んで第１係合連結部材４０の他辺部４０Ｂを固定する。
【００２９】
連結手摺部材２３を構成する水平部材２４の第２部材２４Ｂと、立上がり部材２５との連結は、図１３〜図１５に示すように、係合連結部材である第２係合連結部材４１により行なうようになっている。
【００３０】
すなわち、第２係合連結部材４１は、上記第２部材２４Ｂの補強用中空部材１３の内部空間１３内に嵌め込まれる固定板４１Ａと、この固定板４１Ａの一端部の上面に立設された連結板４１Ｂとで構成され、これら固定板４１Ａと連結板４１Ｂとで側面視で略Ｌ字状、正面視で略逆Ｔ字状となっている。
固定板４１Ａと連結板４１Ｂとは、それぞれ断面積が同じの同一部材で形成されている。そのため、同一部材を適宜切断することで、固定板４１Ａまたは連結板４１Ｂとして使用することができる。
なお、これらの固定板４１Ａと連結板４１Ｂとは、補強用中空部材１３の裏面からビス２９をねじ込んでで、補強用中空部材１３と、固定板４１Ａと、連結板４１Ｂとを固定することで一体化されている。
【００３１】
固定板４１Ａは、図１３にも示すように、第２部材２４Ｂの補強用中空部材１３の内部空間１３Ａ内に嵌め込まれ、且つ固定されるが、連結板４１Ｂは、図１３〜図１５に示すように、第２部材２４Ｂの補強用中空部材１３の他面と手摺本体１２とに形成された貫通孔２４Ｄに挿通して第２部材２４Ｂの外部上方に延出している。
【００３２】
固定板４１Ａは、第２部材２４Ｂにおいて第１部材２４Ａの反対側の端部から補強用中空部材１３の内部空間１３Ａ内に差し込まれた後、位置決めされ、補強用中空部材１３の裏面から皿ビス２７と、木ネジ２８とにより固定されるようになっている。
その後、連結板４１Ｂが、第２部材２４Ｂの補強用中空部材１３の他面と手摺本体１２とに形成された貫通孔２４Ｄから差し込まれると共に、その下端縁が固定板４１Ａの上面に当接され、上記補強用中空部材１３の裏面からビねじ込まれたビス２９により固定されるようになっている。
【００３３】
以上のような第２係合連結部材４１の連結板４１Ｂは、図１３〜図１５に示すように、前記立上がり部材２５の補強用中空部材１３の内部空間１３Ａに挿入され、且つ固定されるようになっている。
すなわち、第２部材２４Ｂに固定された連結板４１Ｂに立上がり部材２５を、矢印Ａ方向にスライドさせて差し込んだ後、図１３に示すように、２本の皿ビス２７，２７と、木ネジ２８とで連結板４１Ｂに立上がり部材２５を固定し、これにより、水平部材２４と立上がり部材２５とが連結される。
【００３４】
連結手摺部材２３を構成する立上がり部材２５と前記上階階段手摺部材２２との連結は、図１３、図１７に示すように、係合連結部材である第３係合連結部材４２により行なうようになっている。
すなわち、第３係合連結部材４２は、立上がり部材２５における補強用中空部材１３の内部空間１３Ａに挿通される一端部４２Ａと、上階階段手摺部材２２の下端部における補強用中空部材１３の内部空間１３Ａに挿通される他端部４２Ｂとを有し、断面ヘの字形状に形成されている。
【００３５】
以上のような立上がり部材２５と上階階段手摺部材２２との連結は、図１７に示すように、まず、第３係合連結部材４２の一端部４２Ａを立上がり部材２５における補強用中空部材１３の内部空間１３Ａに挿入し、且つ２本の皿ビス２７，２７と、木ネジ２８とで立上がり部材２５に固定する。
【００３６】
次いで、上階階段手摺部材２２側に突出している第３係合連結部材４２の他端部４２Ｂに対して、上階階段手摺部材２２を矢印Ｂ方向に移動させ、当該上階階段手摺部材２２の補強用中空部材１３の内部空間１３Ａに他端部４２Ｂを挿入し、その後、上述のようにビス２６等で固定し、これにより、連結手摺部材２３と上階階段手摺部材２２とが連結される。
【００３７】
前記下階階段手摺部材２０の下端部には、図１、図１８に示すように、下り手摺部材２６が設けられている。この下り手摺部材２６は、下階階段手摺部材２０の下端部から建物の下階部の床面６６に向かって略垂直に設けられている。
これらの下階階段手摺部材２０と下り手摺部材２６との連結は、前記第３係合連結部材４２により行なうようになっている。
【００３８】
すなわち、図１８、図１９に詳細を示すように、第３係合連結部材４２は、下階階段手摺部材２０における補強用中空部材１３の内部空間１３Ａに挿通される一端部４２Ａと、下り手摺部材２６における補強用中空部材１３の内部空間１３Ａに挿通される他端部４２Ｂとを有し、断面ヘの字形状に形成されている。
【００３９】
そして、以上の下階階段手摺部材２０と下り手摺部材２６との連結は、まず、図１９に示すように、第３係合連結部材４２の一端部４２Ａを下階階段手摺部材２０における補強用中空部材１３の内部空間１３Ａ内に挿入し、且つ２本の皿ビス２７，２７と、木ネジ２８とで下階階段手摺部材２０に固定する。
【００４０】
次いで、下り手摺部材２６側に突出している第３係合連結部材４２の他端部４２Ｂに対して、下り手摺部材２６を矢印Ｃ方向に移動させ、当該下り手摺部材２６の補強用中空部材１３の内部空間１３Ａ内に他端部４２Ｂを挿入し、その後、上述のように皿ビス２７等で固定し、これにより、下階階段手摺部材２０と下り手摺部材２６とが連結されるようになっている。
【００４１】
下階階段部３および上階階段部４の折返しの外側には、前述のように、また、図１に示すように、外側階段用手摺３０が設けられている。
この外側階段用手摺３０は、下階階段手摺部材３１、上階階段手摺部材３２を備えて構成されている。また、下階階段手摺部材３１の上端、および上階階段手摺部材３２の下端には、踊り場５と水平となった水平手摺部材３３，３３がそれぞれ連結されている。さらに、下階階段手摺部材３１の下端には、前記下り手摺部材２６と同様の構成となった下り手摺部材３６が連結されている。
下階階段手摺部材３１および上階階段手摺部材３２の構造は、前述した下階階段手摺部材２１、上階階段手摺部材２２と略同一構造である。
【００４２】
下階階段手摺部材３１の上端に連結された水平手摺部材３３の延長方向端部は、図３に示すように、室内の壁１００と対向している。
下階階段手摺部材３１の上端と水平手摺部材３３の一端部との連結は、図示しないが、前述の第３係合連結部材４２で行なわれるようになっている。
【００４３】
上階階段手摺部材３２の下端に連結された水平手摺部材３３の延長方向端部も、図３に示すように、室内の壁１００と対向している。
そして、この水平手摺部材３３の一端部と上階階段手摺部材３２の下端との連結は、図示しないが、前記第３係合連結部材４２を逆向きに形成した係合連結部材（図略）で行なわれるようになっている。
【００４４】
前述した各手摺部材２１，２２，３１，３２等は、それぞれ手摺支柱５０により支持されている。
手摺支柱５０は、図１に示すように、踏板６０の２〜３段置きに配置されている。これらの手摺支柱５０は、図２０に示すように、略角筒状に形成された支柱本体５１と、この支柱本体５１の下端に設けられ当該支柱本体５１を踏板６０に固定する支柱用取付け板５２と、上記支柱本体５１の上端に設けられ当該支柱本体５１を各手摺部材２１，２２，３１，３２等に固定する固定板５３とを備えて構成されている。
【００４５】
支柱本体５１と支柱用取付け板５２との取り付けは、図２１に示すように、手摺支柱５０の下端に予めあけられたネジ部（図略）に、取り付け板５２にあけられた複数のネジ孔５２Ａから例えば皿小ネジ５４をねじ込むことで行われる。
【００４６】
一方、踏板６０の長さ方向両端且つ裏面には、支柱用取付け板５２の幅寸法に対応した凹部６０Ａが形成されている。さらに、この凹部６０Ａにおいて踏板６０の長さ方向両端一部には、上記支柱本体５１を挿通可能とする切欠き部６０Ｂが形成されている。
【００４７】
したがって、支柱用取付け板５２を踏板６０に取付け固定するには、支柱用取付け板５２を凹部６０Ａ内に嵌め込んだ後、支柱用取付け板５２にあけられた複数のネジ孔５２Ｂから例えば皿小ネジ５５をねじ込むと共に、それらの皿小ネジ５５を踏板６０にあけられたネジ孔６０Ｃに螺合させることで行なわれる。
なお、支柱本体５１と支柱用取付け板５２との取り付けは、まず、支柱用取付け板５２を踏板６０  に取付け固定した後で、支柱本体５１を切欠き部６０Ｂに嵌め込むと共に、その後に支柱本体５１を支柱用取付け板５２に取り付けてもよい。
【００４８】
手摺支柱５０と下階階段手摺部材２１、上階階段手摺部材２２および当該連結手摺部材２３との連結は、図１８に示すように、手摺支柱５０の上端の固定板５３を手摺部材２１等の前記補強用中空部材１３に図示しないビス等で取り付けることで行なわれるようになっている。
【００４９】
以上のような手摺支柱５０の支柱本体５１には、図１、図３、図２０に示すように、例えば透明なポリカーボネート材で形成された面材５６が取り付けられている。面材５６は、略菱形形状に形成され、取付け具５７を介して、隣り合う手摺支柱５０間にわたって取り付けられている。そのため、折返し階段１を上り下りする際、万が一、下階階段手摺部材２１等の手摺支柱５０間の隙間からすべり落ちることがあるようなとき、それを防止できる。
取付け具５７は、手摺支柱５０の上下方向２箇所に設けられ、公知の技術によって面材５６をその両面から挟み込むことで固定するようになっている。
【００５０】
次に、折返し階段１の階段部について説明する。
前記折返し階段１の階段部６０は、図１〜図４に示すように、また、前述したように、前記下階段部３と、上階段部４と、これらの下階段部３および上階段部４を接続する前記踊り場５とを備えて構成されている。
【００５１】
なお、この折返し階段１の構造については、本出願人が「階段の構造」として既に出願している（特願２００９−１３４２２６）ので、階段部分についての説明は簡略化する。
【００５２】
下階段部３は、複数の踏板６０と、これらの各踏板６０を支持する複数の踏板受材６１と、各踏板受材６１を介して各踏板６０の左右幅方向の中央部を支持する１本の桁材６２によって構成されている。
ここで、踏板６０の左右幅方向とは、階段全体から見た場合の幅方向であり、踏板６０自体から見た場合は長手方向に該当するものである。
【００５３】
下階段部３の桁材６２は、図１８に詳細を示すように、下階の床面６６に当接固定される下端面から、図１９に詳細を示すように、踊り場５の一方側の側端面に当接固定される上端面に向けて下階段部３の傾斜に倣った傾斜角度を有する形状となっている。
【００５４】
下階段部３の桁材６２の下端部は、図１８に示すように、下階の床面６６と平行になるように斜めに切断されており、床面６６用のサーポートシュー６８と、傾斜部６２Ｂの下端部をサーポートシュー６８に固定するためのボルト、および、サーポートシュー６８を床面６６に固定するためのボルトを介して、下階の床面６６に固定されている。
【００５５】
また、下階段部３の桁材６２の上端部は、サポートシュート６８等により踊り場５の一方側の側端面に当接固定されるようになっている。
【００５６】
下階段部３の踏板６０は、左右方向に長い矩形の板状体である。そして、このような踏板６０は、その左右幅方向の略中央部で踏板受材６１の天面にボルトおよび木ネジ（図略）をねじ込むことで固定されるようになっている。
各々の踏板６０と桁材６２との接合部分を構成する踏板受材６１は、その下面を桁材６２の傾斜部の上面で支持され、かつボルトによって傾斜部の上面側に固定されている。
【００５７】
桁材６２は、不等辺四角形状の断面を有するアルミ押し出し成形の中空部材で形成され、その幅は桁材６２の傾斜部の幅と概ね等しく形成されている。つまり、桁材６２の傾斜部６２Ｂは、踏板受材６１を介して踏板６０の左右幅方向の中央部を支持していることになる。
【００５８】
前記上階段部４も、前述した下階段部３と同様、図１に示すように、複数の踏板６０と、これらの各踏板６０を支持する複数の踏板受材６１、および、各踏板受材６１を介して各踏板６０の左右幅方向の中央部を支持する１本の桁材６２を備えて構成されている。
この上階段部４の桁材６２は、上階段部４の傾斜に倣った傾斜角度を有する形状となっている。
【００５９】
上階段部４の桁材６２も、上記下階段部３側の桁材６２と同様に、略矩形状の断面を有するアルミ押し出し成形の中空部材で形成されている。
【００６０】
また、本実施形態では、踏板受材６１を介してその左右幅方向の略中央部を１本の桁材６２の傾斜部６２Ｂで支えられた各踏板６０の撓みを防止するため、図１８〜図２０に示すように、高さ方向に隣り合う踏板６０，６０の間、高さ方向で踊り場５の床面６７に隣り合う踏板６０と床面６７との間、および図１に示すように、下階段部３の最下段の踏板６０と下階部の床面６６との間が、各踏板６０の左右幅方向の両端に配置された連結材７０によって相互に連結されている。
【００６１】
連結材７０の取付状態は、高さ方向に隣り合う踏板６０，６０のうち、上段側に位置する踏板６０において階段の上り方向の手前側（図１８、図１９中で右側）に位置する左右幅方向の両端部と、下段側に位置する踏板６０において階段の上り方向の前方側（図２０中で左側）に位置する左右幅方向の両端部とが、連結材７０，７０によって相互に連結されるようになっている。そして、このような連結材７０は、アルミダイキャスト等で成形された一体成形品である。
【００６２】
これらの連結材７０は、下段側の踏板６０の左右両側に固定されている。
その結果、高さ方向に隣り合う踏板６０，６０同士の連結には、上段側に位置する踏板６０の下面側における上り方向の手前側の端部と、下段側に位置する踏板６０における上り方向の前方側の縁部のみが利用される。
また、各踏板６０の手前側には、それぞれ蹴込み板６５が設けられている。
【００６３】
次に、本実施形態の階段用手摺１０における下階階段手摺部材２１と連結手摺部材２３との連結、連結手摺部材２３と上階階段手摺部材２２との連結、および下階階段手摺部材２１と下がり手摺部材２６との連結手順を説明する。
【００６４】
まず、図９、図１０、図１２に示すように、下階階段手摺部材２１と連結手摺部材２３の第１部材２４Ａとを連結する手順を説明する。
【００６５】
最初に、第１係合連結部材４０の一辺部４０Ａの一部および他辺部４０Ｂを、図９、図１０に示すように、矢印Ｅ方向に沿って移動させると共に、第１部材２４Ａおよび第２部材２４Ｂの補強用中空部材１３の切欠き部１３Ｂから差込んだ後、補強用中空部材１３の裏面から皿コネジ２７，２７、木ネジ２８をねじ込んで固定する。
【００６６】
次いで、第１部材２４Ａの斜めに切断された一端部を下階階段手摺部材２１の上端部に向けると共に、第１部材２４Ａおよび第２部材２４Ｂの補強用中空部材１３の切欠き部１３Ｂ内に、第１係合連結部材４０の他辺部４０Ｂが嵌り込むように位置を合わせ、図７に示すように、矢印Ａ方向に移動させそのまま差し込んで、連結手摺部材２３の水平部材２４と下階階段手摺部材２１との対向面同士を当接させる。
【００６７】
次いで、図１２に示すように、下階階段手摺部材２１側に突出した第１係合連結部材４０の一辺部４０Ａに対して、下階階段手摺部材２１を対向させると共に、下階階段手摺部材２１の補強用中空部材１３に第１係合連結部材４０の一辺部４０Ａが挿入するように、下階階段手摺部材２１を矢印Ｄに沿って移動させる。
そして、下階階段手摺部材２１の補強用中空部材１３の内部空間１３Ａ内に第１係合連結部材４０の一辺部４０Ａが挿入されたら、皿ビス２７と、木ネジ２８とをねじ込み、連結手摺部材２３の水平部材２４と下階階段手摺部材２１とを固定する。
【００６８】
次に、図１４、図１５に基づいて、連結手摺部材２３の第１部材２４Ａと立上がり部材２５とを連結する手順を説明する。
【００６９】
連結手摺部材２３における第２部材２４Ｂの補強用中空部材１３の内部空間１３Ａ内には固定板４１Aが固定されており、上記第２部材２４Ｂには連結板４１Ｂが立設されている。このような第２部材２４Ｂに対して、立上がり部材２５を図１４、図１５中、矢印Ａで示す方向に移動させ、立上がり部材２５の補強用中空部材１３の内部空間１３Ａ内に連結板４１Ｂが嵌り込むように位置を合わせ、立上がり部材２５をそのまま差し込んで、第２部材２４Ｂの上面と立上がり部材２５の下端とを当接させる。
【００７０】
そして、図１３に示すように、立上がり部材２５の裏面から皿コネジ２７，２７をねじ込み、さらに木ネジ２８をねじ込んで、第２係合連結部材４１を連結手摺部材２３の立上がり部材２５に固定する。
【００７１】
今度は、図１７に基づいて、連結手摺部材２３における立上がり部材２５と上階階段手摺部材２２との連結手順を説明する。
立上がり部材２５の上端部から第３係合連結部材４２の一端部４２Ａを立上がり部材２５の補強用中空部材１３の内部空間１３Ａに差込み、皿コネジ２７，２７で両者２５，２２を固定すると共に、木ネジ２８をねじ込んで、第３係合連結部材４２を立上がり部材２５に固定する。
【００７２】
その後、上階階段手摺部材２２の斜めに切断された一端部を立上がり部材２５の上端部に向けると共に、上階階段手摺部材２２の補強用中空部材１３の内部空間１３Ａに第３係合連結部材４２の他端部４２Ｂが嵌り込むように位置を合わせ、矢印Ｂ方向に移動させて差し込み、立上がり部材２５の一端と上階階段手摺部材２２の下端とを当接させる。
【００７３】
そして、上階階段手摺部材２２の裏面から皿コネジ２７，２７および木ネジ２８をねじ込んで、第３係合連結部材４２を上階階段手摺部材２２に固定し、これにより、連結手摺部材２３と上階階段手摺部材２２とを連結する。
【００７４】
次に、図１８、図１９に基づいて、下階階段手摺部材２１とその下端の下り手摺部材２６とを連結する手順を説明する。
下階階段手摺部材２１の下端部から第３係合連結部材４２の一端部４２Ａを下階階段手摺部材２１の補強用中空部材１３の内部空間１３Ａに差込み、皿コネジ２７，２７で両者２１，２６を固定すると共に、木ネジ２８をねじ込んで、第３係合連結部材４２の一端部４２Ａを下階階段手摺部材２１に固定する。
【００７５】
その後、下り手摺部材２６の斜めに切断された一端部を下階階段手摺部材２１の斜めに切断された下端部に向けると共に、垂れ下り手摺部材２６の補強用中空部材１３の内部空間１３Ａに第３係合連結部材４２の他端部４２Ｂが嵌り込むように位置を合わせ、矢印Ｃ方向に移動させて差し込み、これにより、下り手摺部材２６の一端と下階階段手摺部材２１の下端とを当接させる。
【００７６】
そして、下り手摺部材２６の裏面から皿コネジ２７，２７で両者２１，２６を固定すると共に、木ネジ２８をねじ込んで、第３係合連結部材４２を下り手摺部材２６に固定し、下階階段手摺部材２１と下り手摺部材２６とを連結する。
【００７７】
前記折返し階段１における前記外側階段用手摺３０も、前述した内側階段用手摺２０と略同じ構造である。
すなわち、図１に示すように、外側階段用手摺３０は、下階側用と上階側用とを備えて構成され、下階側用は、前記下階階段手摺部材２１と平行に配置された下階階段手摺部材３１と、この下階階段手摺部材３１の上端に当該下階階段手摺部材３１の延長上に連結されると共に、前記踊り場５と平行に設けられた水平手摺部材３３と、下階階段手摺部材３１の下端に連結された垂れ下り手摺部材３６とを備えて構成されている。
【００７８】
下階階段手摺部材３１と水平手摺部材３３との連結は、詳細を図示しないが、前記第３係合連結部材４２と同様の構造の係合連結部材を用いて行うようになっている。また、下階階段手摺部材３１と垂れ下り手摺部材３６との連結も、前述した内側階段用手摺２０と同様に第３係合連結部材４２を用いて行うようになっている。
なお、水平手摺部材３３の他端部は、壁１００と対向している。
【００７９】
外側階段用手摺３０の上階側用は、前記上階階段手摺部材２２と平行に配置された上階階段手摺部材３２と、この上階階段手摺部材３２の下端に当該上階階段手摺部材３２の延長上に連結されると共に、前記踊り場５と平行に設けられた水平手摺部材３３とを備えて構成されている。
上階階段手摺部材２２と水平手摺部材３３との連結は、詳細を図示しないが、前記第３係合連結部材４２と同様の構造の係合連結部材を用いて行うようになっている。
なお、水平手摺部材３３の他端部は、壁１００と対向している。
【００８０】
本実施形態の階段用手摺１０は以上のように構成されているので、次のような各効果を得ることができる。
（１）下階階段手摺部材２１と連結手摺部材２３、および連結手摺部材２３と上階階段手摺部材２２との連結を、それぞれの補強用中空部材１３に、それぞれ第１〜第３係合連結部材４０，４１，４２を挿入することで行うことができる。その結果、係合連結部材があれば各手摺部材を連結できるので簡単な構成とすることができると共に、各係合連結部材４０，４１，４２を補強用中空部材１３と係合すればよいので、組み立て効率の向上を図ることができる。
【００８１】
（２）下階階段手摺部材２１と連結手摺部材２３、および連結手摺部材２３と上階階段手摺部材２２とを連結するために、それぞれ第１〜第３係合連結部材４０，４１，４２のみを製造すればよく、これらは板部材を折り曲げたり、固着したりすることで形成することができるので、製造効率の向上を図ることができる。
【００８２】
（３）第１〜第３係合連結部材４０，４１，４２が、手摺本体部１２に埋設された補強用中空部材１３の内部空間１３Ａに挿入されている。下階階段手摺部材２１と連結手摺部材２３、および連結手摺部材２３と上階階段手摺部材２２との連結が、アルミ押し出し成形された補強用中空部材１３を介して行なわれるので、それぞれの手摺部材同士を強固に連結することができる。
【００８３】
（４）下階階段手摺部材２１、連結手摺部材２３、第１水平部材２４、第２水平部材２４、立上がり部材２５、および上階階段手摺部材２２が、すべて手摺本体部１２と補強用中空部材１３とで構成されており、それぞれの部材に対応するように適宜切断するだけでよいので、製造効率の向上を図ることができる。
【００８４】
（５）下階階段手摺部材２１等の各手摺部材を形成する手摺本体部１２が木目調に形成されているので、美感に優れ、柔らかい雰囲気を演出することができる。
【００８５】
（６）第２係合連結部材４１を構成する固定板４１Ａと連結板４１Ｂとが、同一部材を切断して形成されているので、別部材を使用することがなくなり、省部材化を図ることができ、また、製造効率の向上を図ることができる。
【００８６】
（７）連結手摺部材２３の第１部材２４Ａと第２部材２４Ｂ、および連結手摺部材２３の第２部材２４Ｂと下階階段手摺部材２１同士の連結を、平面形状が略Ｌ形、側面形状がヘの字状の第１係合連結部材４０で行なうことができるので、３つの部材同士を１つの連結部材で連結することができる。そのため、隣接する部材同士のみを連結する個別の係合連結部材を揃えなくてよく、これにより、省部材化を図ることができ、また、製造効率の向上を図ることができる。
【００８７】
（８）補強用中空部材１３が、アルミ中空押出形材で形成されると共に手摺本体部１２に予め埋設されているので、精度良く且つ容易に形成することができ、また各下階階段手摺部材２１等の強度の向上を図ることができる。
【００８８】
（９）折返し階段１における内側階段用手摺２０の連結階段手摺部材２３が、水平部材２４と立上がり部材２５とで構成され、水平部材２４の第２部材２４Ｂと立上がり部材２５とが、断面Ｔ型の第２係合連結部材４１で連結されているので、両者２４Ｂ，２５が回動することなく固定される。その結果、連結後の手摺に断面形状の変化等が生じることなく、統一された外観を得ることができる。
【００８９】
（１０）手摺部材１１が手摺本体部１２と補強用中空部材１３とで構成されており、内側階段用手摺２０における下階階段手摺部材２１、連結手摺部材２３、第１水平部材２４、第２水平部材２４、立上がり部材２５、上階階段手摺部材２２、および下り階段手摺部材２６が、すべて手摺部材１１で構成されると共に、断面蒲鉾形状の手摺本体部１２の表面部が、折返し階段１の表面に連続して現れているので、全体として見映えがよくなり、外観的にも優れた手摺とすることができる。
【００９０】
以上、前記実施形態を参照して本発明を説明したが、本発明は前記実施形態に限定されるものではない。本発明の構成や詳細については、当業者が理解し得るさまざまな変更を加えることができる。また、本発明には、前記実施形態の構成の一部又は全部を相互に適宜組み合わせたものも含まれる。
【００９１】
例えば、前記実施形態では、水平方向に隣り合う手摺支柱５０に、例えば透明なポリカーボネート材で形成された面材５６を支持させていたが、この面材５６は、必ずしも設けなくてもよい。そしてこの場合、面材取付け具５７は不要となる。
【００９２】
また、前記実施形態では、第１係合連結部材４０の水平部材２４への取付けは、第１部材２４Ａおよび第２部材２４Ｂにおける補強用中空部材１３の一側面を、平面形状Ｌ字状の他辺部４０Ｂに対応させて切欠き、この切欠き部１３Ｂから第１係合連結部材４０の連続部４０Ｃと折曲部４０Ｄとを差し込み且つ固定していた。
また、第２係合連結部材４１の水平部材２４と立上がり部材２５への取付けは、第２係合連結部材４１の固定板４１Ａを、水平部材２４における補強用中空部材１３の長手方向一端部から差し込み且つ固定しており、第１係合連結部材４０と第２係合連結部材４１とは別個の取付け方法で行なっていた。
しかし、第１係合連結部材４０と第２係合連結部材４１との補強用中空部材１３への取付けを、図２４に示すような構成としてもよい。すなわち、水平部材２４の第１部材２４Ａおよび第２部材２４Ｂにおける補強用中空部材１３の下面（上記一側面と直交す面）を切欠き、この切欠き部２４Ｃに上記第１係合連結部材４０と第２係合連結部材４１の固定板４１Ａとを差込み、第１係合連結部材４０および固定板４１Ａの裏面から、それぞれ皿ビス２７と、木ネジ２８とをねじ込んで固定するようにしてもよい。
【産業上の利用可能性】
【００９３】
本発明の階段用手摺は、建物の下階と上階とを連絡する折返し階段を作る際に利用される。
【符号の説明】
【００９４】
１  折返し階段
２  下階階段部
３  上階階段部
５  踊り場
１０  階段用手摺
１１  手摺部材
１２  手摺本体部
１３  補強用中空部材
１３Ａ  内部空間
１３Ｂ  切欠き部
２０  内側階段用手摺
２１  下階階段手摺部材
２２  上階階段手摺部材
２３  連結手摺部材
２４  連結手摺部材を構成する水平部材
２４Ａ  第１部材
２４Ｂ  第２部材
２５  連結手摺部材を構成する立ち上がり部材
３０  外側階段用手摺
３１  下階階段手摺部材
３２  上階階段手摺部材
３３  水平手摺部材
４０  第１係合連結部材
４０Ａ  一辺部
４０Ｂ  他辺部
４１  第２係合連結部材
４１Ａ  固定板
４１Ｂ  連結板
４２  第３係合連結部材
４２Ａ  一辺部
４２Ｂ  他辺部
５０  手摺支柱
５１  支柱本体
５２  支柱用取付け板
６０  踏板
６２  桁材
【図１】
2011047235.tif 000003
【図２】
2011047235.tif 000004
【図３】
2011047235.tif 000005
【図４】
2011047235.tif 000006
【図５】
2011047235.tif 000007
【図６】
2011047235.tif 000008
【図７】
2011047235.tif 000009
【図８】
2011047235.tif 000010
【図９】
2011047235.tif 000011
【図１０】
2011047235.tif 000012
【図１１】
2011047235.tif 000013
【図１２】
2011047235.tif 000014
【図１３】
2011047235.tif 000015
【図１４】
2011047235.tif 000016
【図１５】
2011047235.tif 000017
【図１６】
2011047235.tif 000018
【図１７】
2011047235.tif 000019
【図１８】
2011047235.tif 000020
【図１９】
2011047235.tif 000021
【図２０】
2011047235.tif 000022
【図２１】
2011047235.tif 000023
【図２２】
2011047235.tif 000024
【図２３】
2011047235.tif 000025
【図２４】
2011047235.tif 000026